(57)【要約】【課題】簡単な操作で大量のデータの中から操作者が再生したいデータを容易に再生できるデータ検索再生装置、情報入力記録装置、及び操作装置を提供すること。【解決手段】操作者が指紋センサ１１に触れると、その指紋パターンがメモリ２内の指紋データ２ａと照合されて操作者が特定される。操作者が特定されると再生用データ読み出し/書き込み制御部４は、特定された操作者に対応するデータをメモリ２の再生用データ２ｂから検索する。また、操作者が指紋センサ１１上で指を動かすと、その動きに応じて再生制御部５は、データの再生制御を行う。【選択図】図２
2006146579.tif 000002
【特許請求の範囲】
【請求項１】
操作者の指紋パターンを検出する指紋パターン検出手段と、
上記指紋パターン検出手段で検出された上記指紋パターンに基づいて上記操作者を特定し、この特定された操作者に関連するファイルを検索する検索手段と、
上記指紋パターン検出手段で検出された上記指紋パターンの時間変化により、上記操作者の指の動きを検出する指動作検出手段と、
上記指動作検出手段によって検出された上記操作者の指の動きに従って上記検索手段によって検索されたファイルの再生に関する制御を行う再生制御手段と、
を具備することを特徴とするデータ検索再生装置。
【請求項２】
上記ファイルは複数の画像データを含み、
上記検索手段によって検索されたファイル内の画像データに基づいて画像を表示する表示手段を更に具備し、
上記再生制御手段は、上記指動作検出手段によって検出された上記操作者の指の動きに従って、上記表示手段に表示させる画像を切り換えるように制御することを特徴とする請求項１に記載のデータ検索再生装置。
【請求項３】
上記ファイルは音声データを含み、
上記検索手段によって検索されたファイル内の音声データに基づいて音声を再生する音声再生手段を更に具備し、
上記再生制御手段は、上記指動作検出手段によって検出された上記操作者の指の動きに従って、上記ファイルの中の音声データに対して、再生、停止、早送り、早戻し、スキップ、曲頭戻しの少なくとも何れかを行うように上記音声再生手段を制御することを特徴とする請求項１に記載のデータ検索再生装置。
【請求項４】
指紋を検出し検出した指紋パターンに応じて再生するデータが含まれるファイルを検索すると共に、上記検出した指紋パターンの動きに応じて上記データを再生することを特徴とするデータ検索再生装置。
【請求項５】
画像データ若しくは音声データを入力する操作者の指紋パターンを検出する第１の指紋パターン検出手段と、
当該情報入力記録装置が外部装置に接続された時に、上記画像データ若しくは上記音声データと共に、上記第１の指紋パターン検出手段で検出された上記指紋パターンの検出結果を上記外部装置に送信する送信手段と、
を具備することを特徴とする情報入力記録装置。
【請求項６】
上記外部装置は、
指紋パターンを検出する第２の指紋パターン検出手段と、
上記第２の指紋パターン検出手段で検出された指紋パターンと上記送信手段から送信された指紋パターンの検出結果とに応じて、画像データ若しくは音声データを検索する検索手段と、
を具備し、
上記送信手段によって送信された画像データ若しくは音声データを記録するデータ記録装置であることを特徴とする請求項５に記載の情報入力記録装置。
【請求項７】
操作者の特定の部位のパターンを検出するパターン検出手段と、
上記パターン検出手段によって検出された上記特定の部位のパターンの状態を検出するパターン状態検出手段と、
上記パターン状態検出手段によって検出された上記特定の部位のパターンの状態と当該操作装置の制御とを対応付ける対応付け手段と、
を具備することを特徴とする操作装置。
【請求項８】
上記パターン検出手段は、上記特定の部位のパターンとして上記操作者の指のパターンを検出し、
上記パターン状態検出手段は、上記パターン検出手段で検出された上記操作者の指のスライド動作と上記操作者の指の回転動作の少なくとも何れか一方の動作を検出することを特徴とする請求項７に記載の操作装置。
【発明の詳細な説明】
【技術分野】
【０００１】
本発明は、データ検索再生装置、情報入力記録装置、及び操作装置に関する。
【背景技術】
【０００２】
従来、紙の書籍の頁を捲るのと同様の感覚の操作によってディスプレイ上に表示された電子書籍の頁捲りを行うことができる表示装置が特許文献１において提案されている。この特許文献１の提案では、操作者による頁捲り動作を、柱状スイッチや、タッチパネルなどの接触センサ、傾きセンサ等によって検出し、それに応じた画像の切り換え制御を行っている。
【０００３】
また、特許文献２では、操作者の指紋パターンを検出することで、操作者個人を特定し、その特定した操作者に対応するデータを検索する技術が提案されている。
【特許文献１】特開平１１−２４２５３９号公報
【特許文献２】特開平９−３００７１５号公報
【発明の開示】
【発明が解決しようとする課題】
【０００４】
近年、メモリが小型化かつ大容量化する流れが顕著である。これにより、手軽に持ち運べるにもかかわらず大量のデータを記録可能な携帯式の記録再生機器が多くのシーンで利用されるようになってきている。しかし、メモリの大容量化に伴ってこうした多くの記録データの中から操作者が所望するデータを効率良く再生すること事は簡単ではなくなってきている。
【０００５】
しかしながら、特許文献１の提案は、複雑な機構のスイッチ等を利用しながら、単に頁捲りの制御を行うものにすぎず、データの再生についての操作性は考慮されていない。同様に特許文献２の提案も、指紋パターンをデータの検索にのみ利用しているだけである。
【０００６】
本発明は、上記の事情に鑑みてなされたものであり、簡単な操作で大量のデータの中から操作者が再生したいデータを容易に再生できるデータ検索再生装置、情報入力記録装置、及び操作装置を提供することを目的とする。
【課題を解決するための手段】
【０００７】
上記の目的を達成するために、本発明の第１の態様のデータ検索再生装置は、操作者の指紋パターンを検出する指紋パターン検出手段と、上記指紋パターン検出手段で検出された上記指紋パターンに基づいて上記操作者を特定し、この特定された操作者に関連するファイルを検索する検索手段と、上記指紋パターン検出手段で検出された上記指紋パターンの時間変化により、上記操作者の指の動きを検出する指動作検出手段と、上記指動作検出手段によって検出された上記操作者の指の動きに従って上記検索手段によって検索されたファイルの再生に関する制御を行う再生制御手段とを具備することを特徴とする。
【０００８】
また、上記の目的を達成するために、本発明の第２の態様のデータ検索再生装置は、指紋を検出し検出した指紋パターンに応じて再生するデータが含まれるファイルを検索すると共に、上記検出した指紋パターンの動きに応じて上記データを再生することを特徴とする。
【０００９】
これら第１及び第２の態様によれば、操作者の指紋パターンにより、操作者個人を特定してファイルの検索を行うことができるとともに、操作者の指紋パターンの動きに応じてファイル内のデータの再生を行うことができる。
【００１０】
また、上記の目的を達成するために、本発明の第３の態様の情報入力記録装置は、画像データ若しくは音声データを入力する操作者の指紋パターンを検出する第１の指紋パターン検出手段と、当該情報入力記録装置が外部装置に接続された時に、上記画像データ若しくは上記音声データと共に、上記第１の指紋パターン検出手段で検出された上記指紋パターンの検出結果を上記外部装置に送信する送信手段とを具備することを特徴とする。
【００１１】
この第３の態様によれば、指紋パターン情報を画像データや音声データとともに外部装置に送ることができる。
【００１２】
また、上記の目的を達成するために、本発明の第４の態様の操作装置は、操作者の特定の部位のパターンを検出するパターン検出手段と、上記パターン検出手段によって検出された上記特定の部位のパターンの状態を検出するパターン状態検出手段と、上記パターン状態検出手段によって検出された上記特定の部位のパターンの状態と当該操作装置の制御とを対応付ける対応付け手段とを具備することを特徴とする。
【００１３】
この第４の態様によれば、対応付け手段によって、操作者の特定の部位のパターンの状態に応じた制御動作を行わせることができる。
【発明の効果】
【００１４】
本発明によれば、簡単な操作で大量のデータの中から操作者が再生したいデータを容易に再生できるデータ検索再生装置、情報入力記録装置、及び操作装置を提供することができる。
【発明を実施するための最良の形態】
【００１５】
以下、図面を参照して本発明の実施形態について説明する。  
図１（ａ）は、本発明の一実施形態に係るデータ検索再生装置が用いられているときの様子を示すイメージ図である。ここで、図１（ａ）の例は、データ検索再生装置１００を表示手段としてのプロジェクタ２０に接続し、データ検索再生装置１００で再生された画像をプロジェクタ２０に設けられたレンズ２２を介して画像４０として投影表示しているときの様子を示している。また、プロジェクタ２０には、音声再生手段としてのスピーカ２１が内蔵されており、データ検索再生装置１００で再生された音声がスピーカ２１を介して再生される。ここで、表示手段としては、プロジェクタの他にＬＣＤディスプレイなども含まれる。
【００１６】
また、図１（ａ）に示すように、データ検索再生装置１００には、指紋センサ１１が設けられており、操作者３０は、この指紋センサ１１上で指３１を所定の状態とすることにより、データ検索再生装置１００に対してデータ再生に関する各種操作指示を与えることができるようになっている。これにより例えば、操作者３０が図１（ｂ）のように親指３１ａで指紋センサ１１上を擦って頁を捲るような動作をした場合にプロジェクタ２０によって再生されている画像４０を次の画像に進めるようにしたり、図１（ｃ）のように人指し指３１ｂで頁を戻すような動作をした場合にはプロジェクタ２０によって再生されている画像４０を前の画像に戻すようにしたりすることができる操作性に優れた操作装置を構成する事が可能となる。
【００１７】
図２は、上記のような操作装置を構成するためのデータ検索再生装置１００の内部構成について示すブロック図である。ここで、図２のデータ検索再生装置１００は、データの記録も行うことができるようになっている。
【００１８】
図２に示すように、本データ検索再生装置１００は、指紋センサ１１と、マイクロコンピュータ（ＣＰＵ）１と、メモリ２と、操作部１０とから構成されている。
【００１９】
図２において、指紋パターン検出手段（パターン検出手段）としての指紋センサ１１は、操作者３０の指紋パターンを検出するためのセンサである。ここで、指紋センサ１１は、例えば静電容量式のセンサで構成される。
【００２０】
図３は、指紋センサ１１の詳細な構成について示す図である。ここで、図３の斜線部は、図１に示す操作者３０の指３１を拡大して示している。このように指３１を拡大して見ると、指３１には指紋に対応した凸凹があることが分かる。
【００２１】
図３に示すように、指紋センサ１１の表面には保護層１１ａが形成されており、この保護層１１ａの下には複数の微小電極１１ｂがアレイ状に敷き詰められている。これら微小電極１１ｂは、それぞれ容量検出回路１１ｃを介して指紋パターン検出処理回路１１ｄに接続されている。また、指紋パターン検出処理回路１１ｄはタイミング制御回路１１ｅに接続されている。
【００２２】
図３のような構成において、指紋センサ１１に操作者３０の指３１が接触すると、指３１とそれぞれの微小電極１１ｂとの間に、指３１の凸凹（指紋）に応じて容量の異なるコンデンサが形成される。この各微小電極が形成するコンデンサ群の静電容量を容量検出回路１１ｃにより検出することにより、指３１の凸凹変化、即ち指紋パターンを検出することができる。この指紋パターンの検出を指紋パターン検出処理回路１１ｄにより行う。ここで、容量検出回路１１ｃと指紋パターン検出処理回路１１ｄとは同一チッブ上に形成されている。
【００２３】
また、タイミング制御回路１１ｅは、指紋パターンの時間変化を検出するために、所定時間毎に指紋パターン検出処理回路１１ｄに指紋パターンの検出を行わせるための回路である。このように、所定時間毎に指紋パターンを検出し、この指紋パターンが変化する方向を調べれば、操作者３０の指３１の動きを検出することが可能である。これにより、図１（ｂ）や図１（ｃ）で示したような指の動きを検出することができる。
【００２４】
また、図２に示すように、データ検索再生装置１００には、メモリ２が含まれている。このメモリ２内には、指紋パターンを照合するために予め登録された指紋データ２ａと、画像再生や音声再生を行うための実データである再生用データ２ｂと、操作者の指動作（指使い）とデータ検索再生装置１００の再生に関する制御動作とを対応付けた指使いデータ２ｃとが格納されている。
【００２５】
図３に示すような静電容量式の指紋センサ１１の出力は、ＣＰＵ１内部の指紋照合部３と、指動作検出部６とに入力される。
【００２６】
指紋照合部３は、指紋センサ１１で検出された指紋パターンとメモリ２に格納されている指紋データ２ａとを照合する。その結果、例えば、ある操作者個人の指紋であることが判定された場合には、その旨を再生用データ読み出し/書き込み制御部４に通知する。検索手段としての再生用データ読み出し/書き込み制御部４は、メモリ２に格納されている再生用データ２ｂの中から、指紋照合部３において特定された操作者個人が撮影した写真画像や録音した音声などの、その操作者に関連する画像データや音声データを優先的に検索して再生制御部５に出力する。
【００２７】
ここで、メモリ２の再生用データ２ｂには、指紋照合部３において特定された操作者が他人からもらったような画像データや音声データを記録しておくこともできる。このような画像データは、着脱式の記録媒体（メモリカードなど）などのデータソース１２から入力することができる。
【００２８】
また、指動作検出手段（パターン状態検出手段）としての指動作検出部６は、指紋パターンの時間変化を検出することにより、図１（ｂ）や図１（ｃ）で示すような操作者３０の指動作（指使い）を検出し、検出した指使いを対応付け部７に通知する。対応付け部７は、指動作検出部６から通知された操作者３０の指使いに基づいてメモリ２に格納された制御動作を選択して、その結果を動作選択部８に出力する。動作選択部８は、対応付け部７から入力された制御動作の内容に応じた再生制御を行うように再生制御部５に対して指示を送る。
【００２９】
再生制御手段としての再生制御部５は、動作選択部８からの指示に基づいて、再生用データ読み出し/書き込み制御部４から入力された画像データや音声データに対して再生に関する種々の制御を行う。例えば、画像データは、インターフェイス部９を介して表示部２０（図１の例ではプロジェクタ）に表示される。また、音声データは、インターフェイス部９を介して音声再生部（図１の例ではプロジェクタ内蔵のスピーカ）２１を介して再生される。
【００３０】
また、図２の操作部１０は、指紋センサ１１による入力操作を補助するための操作部材であり、例えば当該データ検索再生装置１００の電源のＯＮ／ＯＦＦ用の操作部材や、指紋センサ１１の動作の使い分け等の操作を行うための操作部材などを想定している。
【００３１】
次に、図２のような構成のデータ検索再生装置におけるデータ再生の処理について図４のフローチャートを参照して説明する。この図４のようなフローチャートの処理は、ＣＰＵ１の各部において実行される。
【００３２】
即ち、図４において、ＣＰＵ１は、指紋センサ１１で得られた指紋パターンとメモリ２内の指紋データ２ａとを照合して、データ検索再生装置の操作者を特定する（ステップＳ１）。次に、ＣＰＵ１は、ステップＳ１で特定された操作者が所有するファイルやデータを候補としてメモリ２の再生用データ２ｂから選択する（ステップＳ２）。次に、ＣＰＵ１は、選択されたファイル又はデータを表示部２０上に表示させる（ステップＳ３）。このときの表示は、本棚に本が並べられるのと同様のイメージで、例えば図５（ａ）のようにファイルやデータ等が左右に並べられたようにして表示させるようにする。ここで、現在選択されているファイルやデータは図５（ａ）の参照符号４１で示すようにして強調表示して分かりやすくする。この強調表示としては、例えば色を変えたり、色を濃くしたり、枠を太くしたりするようにすれば良い。
【００３３】
図５（ａ）のような表示がなされている状態で、操作者３０が指紋センサ１１上で指を動かしたりすると、ＣＰＵ１は、上述したような指紋パターンの変化から操作者３０の指使いを検出する（ステップＳ４）。
【００３４】
次に、ＣＰＵ１は、ステップＳ４において検出された指使いから、操作者３０の指使いが左移動であるか否かを判定する（ステップＳ５）。ステップＳ５の判定において、操作者３０の指使いが左移動である場合には、ステップＳ５をステップＳ６に分岐して、ＣＰＵ１は左移動に対応する制御動作を指使いデータ２ｃから検索する。ここでは例えば、現在選択されているファイル又はデータの左隣のファイル又はデータを選択する動作であるとする。この場合に、ＣＰＵ１は、現在選択されているファイルの左隣のファイル又はデータを選択する（ステップＳ６）。これに応じて図５（ａ）の強調表示４１も現在の左隣のファイル又はデータに変更する。その後、ステップＳ４に戻る。
【００３５】
一方、ステップＳ５の判定において、操作者３０の指使いが左移動でない場合には、ステップＳ５をステップＳ７に分岐して、対応付け部７は、操作者３０の指使いが右移動であるか否かを判定する（ステップＳ７）。ステップＳ７の判定において、操作者３０の指使いが右移動である場合には、ステップＳ７をステップＳ８に分岐して、ＣＰＵ１は右移動に対応する制御動作を指使いデータ２ｃから検索する。ここでは例えば、現在選択されているファイル又はデータの右隣のファイル又はデータを選択する動作であるとする。この場合に、ＣＰＵ１は、現在選択されているファイルの右隣のファイル又はデータを選択する（ステップＳ８）。これに応じて図５（ａ）の強調表示４１も現在の右隣のファイル又はデータに変更する。その後、ステップＳ４に戻る。
【００３６】
一方、ステップＳ７の判定において、操作者３０の指使いが右移動でない場合には、ステップＳ７をステップＳ９に分岐して、ＣＰＵ１は、操作者３０によって指紋センサ１１が押圧操作されたか否かを判定する（ステップＳ９）。即ち、操作者３０の指３１が指紋センサ１１に強く押しつけられると、図３からも明らかなように、指３１と各微小電極との間の静電容量が大きくなるように変化するので、これを検出することにより、操作者３０による指紋センサ１１の押圧操作を判定することができる。ステップＳ９の判定において、操作者３０により押圧操作がなされていない場合には、ステップＳ４に戻る。
【００３７】
一方、ステップＳ９の判定において、操作者３０により押圧操作がなされた場合には、ステップＳ９をステップＳ１０に分岐して、ＣＰＵ１は押圧動作に対応する制御動作を指使いデータ２ｃから検索する。ここでは例えば、現在選択されているファイル又はデータを決定して再生する動作であるとする。この場合に、ＣＰＵ１は、現在選択されている候補がファイルであるか否かを判定する（ステップＳ１０）。ステップＳ１０の判定において、現在選択されている候補がデータである場合には、ステップＳ１０をステップＳ１１に分岐して、ＣＰＵ１は、現在選択されているデータの内容を表示部２０若しくは音声再生部２１を介して再生する（ステップＳ１１）。例えば画像データの場合には、図５（ｂ）のようにして再生される。一方、ステップＳ１０の判定において、現在選択されている候補がファイルである場合には、ステップＳ１０をステップＳ１１に分岐して、ＣＰＵ１は、現在選択されているファイル内の先頭のデータの内容を表示部２０若しくは音声再生部２１を介して再生する（ステップＳ１２）。
【００３８】
ここで、ステップＳ１０の判定の前に、現在選択されている候補がフォルダであるか否かを判定するようにしても良い。現在選択されている候補がフォルダである場合には、そのフォルダ内のファイルやデータを図５（ａ）のようにして表示させるようにしてステップＳ４に戻るようにする。
【００３９】
このようにしてデータが再生されている状態で、再び指動作を検出すると（ステップＳ１３）、ＣＰＵ１は、指動作に応じて各種再生制御を行う（ステップＳ１４）。これにより、例えば図５（ｃ）に示すようにして、紙の頁が捲られるような形で、データの送りやデータの戻しを制御することができる。
【００４０】
以上のような処理の後、ＣＰＵ１は、本データ検索再生装置１００の動作を終了するか否かを判定する（ステップＳ１５）。これは、例えば操作者３０によって操作部１０の電源スイッチが操作されたか否かによって判定する。ステップＳ１５の判定において操作部１０が操作されていない場合には、ステップＳ１３に戻る。一方、ステップＳ１５の判定において操作部１０が操作された場合には、図４の処理を終了する。
【００４１】
次に、ファイル又はデータと指紋パターンとの対応付け及び再生制御動作と指使いとの対応付けについて図６のフローチャートを参照して説明する。
【００４２】
まず、ＣＰＵ１は、現在のデータ検索再生装置のモードが、ファイルやデータをメモリ２に記録することができるデータ入力モードであるか否かを判定する（ステップＳ２１）。即ち、メモリ２にファイルやデータを記録する時には、操作者３０は、操作部１０を操作してデータ入力モードにする。ステップＳ２１の判定において、データ入力モードである場合には、ステップＳ２１をステップＳ２２に分岐して、ＣＰＵ１は、指紋別のファイル整理を行うか否かを判定する（ステップＳ２２）。この判定も操作者３０によって操作部１０が操作されたか否かによって判定する。または、ディスプレイ上の表示に従って操作できるような対話型の入力としてもよい。
【００４３】
ステップＳ２２の判定において、指紋別ファイル整理を行う場合には、ステップＳ２２をステップＳ２３に分岐して、操作者３０は、指紋パターンの入力を行う（ステップＳ２３）。この入力は、操作者３０が指紋センサ１１を介して指紋パターンを直接入力するようにしても良いし、すでに記録されている指紋データから操作者３０が指定することにより入力できるようにしても良い。操作者３０によって指紋パターンが入力された後、ＣＰＵ１は、指紋パターンの入力が正しく行われたか否かを判定する（ステップＳ２４）。
【００４４】
ステップＳ２４の判定において、指紋センサ１１による指紋パターンの入力がうまくいかなかったり、指定された指紋データがメモリ２に記録されていなかったりなどの理由により、指紋パターンの入力が正しく行われなかった場合には、ステップＳ２４をステップＳ２５に分岐して、ＣＰＵ１は操作者３０に対して指紋パターンの入力が正しく行われなかった旨の警告を行う（ステップＳ２５）。この警告は、例えばデータ検索再生装置１００に小型のディスプレイを設けておき、このディスプレイ上に表示させるようにしても良いし、ＬＥＤなどを用いた警告でも良い。
【００４５】
一方、ステップＳ２４の判定において、指紋パターンの入力が成功した場合には、ステップＳ２４をステップＳ２６に分岐して、ＣＰＵ１は、現在選択されているファイルを、入力された指紋パターンと対応付ける指紋別ファイル化処理を行う（ステップＳ２６）。即ち、この指紋別ファイル化処理においては、指紋パターンと対応付けるファイルのヘッダ情報などに対応付け情報を付加しておくとともに、このときに対応付けられた指紋パターンをメモリ２に記録させる。
【００４６】
その後、ＣＰＵ１は、指紋別ファイル化処理を行ったファイルに対してプライバシの保護機能を適用するか否かを判定する（ステップＳ２７）。このステップＳ２７の判定も、操作者３０の操作がなされたか否かにより判定する。ステップＳ２７の判定において、プライバシの保護機能を適用する場合には、ステップＳ２７をステップＳ２８に分岐して、ＣＰＵ１は、ステップＳ２６で対応付けされた指紋パターン以外ではファイルを開けなくするための禁止データをファイルのヘッダ情報などに追加する（ステップＳ２８）。
【００４７】
ステップＳ２７の判定においてプライバシの保護機能を適用しない場合、又はステップＳ２８において禁止データを追加した後、得られたファイルをメモリ２に記録させて（ステップＳ２９）、図６の処理を終了する。
【００４８】
また、ステップＳ２２の判定において、指紋別ファイル整理を行わない場合には、ステップＳ２２をステップＳ３０に分岐して、ＣＰＵ１は、指紋別ファイル整理とは別の、通常のＰＣ等で行われている名前付け等の手法によってファイルを生成し（ステップＳ３０）、得られたファイルをメモリ２に記録させる。
【００４９】
ここで、上記したようなアルゴリズムを利用して、個人別のファイリングのみならず、単一の個人でも、例えば図７に示すようにして各指ごとに対応するファイルを変えるようなことも可能である。このようにしてファイルを分類するようにすれば、例えば運動会の写真を見たい時には、右の薬指をセンサ上に押しつけるだけで、いちいち運動会のファイルを探さなくとも、見たい写真を簡単に見ることができる。また、操作者がプライベートに撮影した写真などは、プライバシ保護機能によって特定の個人にしか再生できないようにする事もできる。
【００５０】
また、ステップＳ２１の判定において、データ入力モードでない場合には、ステップＳ２１をステップＳ３１に分岐して、ＣＰＵ１は、現在のモードが再生モードであるか否かを判定する（ステップＳ３１）。ステップＳ３１の判定において、現在のモードが再生モードである場合には、ステップＳ３１をステップＳ３２に分岐して、ＣＰＵ１は、図４で説明したような再生処理を行う（ステップＳ３２）。ここで、図４のフローチャートで述べた再生処理における制御は、操作者ごとにカスタマイズする事も可能である。この処理は、ステップＳ３３以後の処理として行われる。
【００５１】
即ち、ステップＳ３１の判定において、再生モードでない場合には、ステップＳ３１をステップＳ３３に分岐して、ＣＰＵ１は、現在のモードが再生制御と指使いとを対応付けるための操作設定モードであるか否かを判定する（ステップＳ３３）。ステップＳ３１の判定において、現在のモードが操作設定モードでない場合には、ステップＳ２１に戻る。一方、ステップＳ３３の判定において、現在のモードが操作設定モードである場合には、ステップＳ３３をステップＳ３４に分岐する。
【００５２】
この後、操作者３０は、カスタマイズしたい操作の内容を選択し（ステップＳ３４）、この操作に対応する指使いを入力する（ステップＳ３５）。ＣＰＵ１は、これら入力された操作の内容と指使いとを対応付けてメモリ２に記録させる（ステップＳ３６）。
【００５３】
このように、指の情報は種々多様であり工夫ができるため、操作方法を指ごとに変えたり指使いによって変えたりすることもできる。
【００５４】
以上説明したようなデータ検索再生装置は、図８（ａ）のような音楽プレーヤにも簡単に応用ができる。
【００５５】
図８（ａ）に示すように、操作者３０はイヤホン１０１で音楽を楽しみつつ、首からストラップ１０２で下げた音楽プレーヤ１００のほうを見なくとも、音楽プレーヤ１００に設けられた指紋センサ１１上で指３１を動かすことによって、様々な操作を楽しめる。
【００５６】
上記したように、操作者個人の指紋でなくとも、指紋であるかどうかや、その押圧の仕方や動かし方（スライド動作など）の変化は指紋パターンの時間変化によって検出できる。したがって、図８（ｂ）のようにしてデフォルトの指使いデータを登録しておくことで、操作者３０は説明書でそれを見て覚えておけば、指紋センサ１１上の指の制御操作だけで簡単に音声データの再生や停止、早送りや早戻し、曲頭への戻し操作等を選択する事が可能である。なお、音楽プレーヤ１００に液晶モニタなどを設けておき、そこに指使いと操作内容の対応を表示させておくようにしても良い。ここで、デフォルトで設定されている指使いデータは、操作者３０が自分の好みに合うようにカスタマイズできるようにしておくことが好ましい。
【００５７】
図８（ｂ）では、例えば音声停止状態において、指紋センサ１１に所定時間指紋パターンが押圧されており、かつその押圧の変化が静電容量の増加方向に変化する場合には再生開始とする。また、押圧が所定時間以上続いている場合には、その間再生を停止し、再生時において上述のように指紋センサ１１への指紋パターンの押圧が強くなされている場合には再生を停止させる。
【００５８】
また、指３１が下方にスライドされるなどの操作は、指紋パターンの位置変化によって検出することができる。これを利用して、例えば指３１が下方にスライドされた場合にはデータの早送りをし、逆に上方にスライドされた場合には早戻しをし、またスライド操作が連続で行われた場合には、スキップや曲頭戻しを行うようにすることもできる。
【００５９】
従来の音楽プレーヤでは、上記の操作の数に相当する操作部材が必要であり、また操作前にその操作部材を見て確認する必要があるが、本一実施形態で説明した手法によれば、操作前の確認動作をせずに、かつ、１つの指紋センサ１１のみで各種操作を行うことが可能である。
【００６０】
また、図９（ａ）のように音楽プレーヤ１００の上の指紋センサ１１の形状を音声の再生方向を示すような三角形状とするようにしても良い。この場合、例えば図９（ｂ）のように再生方向に沿って指３１をスライドさせた場合には早送りを行い、図９（ｃ）のように再生方向に対して逆方向に指３１をスライドさせた場合に早戻しを行い、図９（ｄ）のように２本の指３１ａ、３１ｂを揃えて置いた場合には再生や停止を行うようにする。このようにデータの再生方向と再生に関する処理の内容とを対応付けるようにすれば、操作者３０がより分かりやすい。更に、図９（ａ）に示すように、現在のスライド方向を表示するためのＬＥＤ１０１ａや１０１ｂを音楽プレーヤ１００上に設ければ、より分りやすくなる。このような手法も、指紋センサ１１の指紋パターン検出能力や指使い検出能力を有効利用したものである。これにより、装置の構成が簡単になると同時に、目視確認せずとも装置の各種操作を行うことができる。
【００６１】
ここで、以上のような操作者３０の指使いは、すべて指紋パターンの時間変化を検出しているが、実際には必ずしも指紋パターンでなければならないものではない。即ち、図３の指紋センサ１１は、実際には指の凹凸を検出するものであるので、指紋以外のパターンを検出することも可能である。この場合には、操作者３０は買ってきた商品をすぐに使うことができる。
【００６２】
即ち、本一実施形態で説明した指紋センサ１１は、図１０（ａ）のような指の腹のパターンや、図１０（ｂ）のような指の先端を使った押圧を検出することもできる。さらには、図１０（ｃ）や図１０（ｄ）のような２つの指を使った押圧の検出や、図１０（ｅ）のように指ではなく、手の平のパターンを検出することもできる。このようにすれば、指紋パターンを登録する必要がないので、操作者３０は指紋情報が取られるような抵抗を感じることがない。なお、図１０（ａ）〜図１０（ｅ）のようなパターンは、図６のステップＳ２３やステップＳ３５の処理に含めて入力できるようにすればよい。
【００６３】
また指使いとしては、例えば図１１（ａ）や図１１（ｂ）のように、指紋センサ１１上を２本の指でひねるような動作（指の回転動作）も検出可能である。
【００６４】
こうした特徴を利用すれば、図１２のようにして図８（ｂ）の指使いデータと再生制御との対応付けをカスタマイズすることも可能である。このように指以外の部位のパターンや押圧やスライド以外の指使いも登録できるようにすれば、より操作者３０のくせや好みに合った設定が可能であり、より操作者３０が簡単に操作できるようになる。
【００６５】
ここで、以上説明した一実施形態では、データの入力と指紋パターンの入力とを別々に行っていたが、撮影時や録音時に指紋情報付きのデータを生成するようにしても良い。
【００６６】
図１３（ａ）は、指紋パターン入力機能を有する情報入力記録装置の一例としてのカメラ５０の外観図である。このカメラ５０の背面には、画像表示のための表示部５１が設けられている。また、カメラ５０の上面には、上記した指紋センサ１１と同様の構成を有する指紋センサ５２が設けられている。更に、図１３（ｂ）に示すように、カメラ５０の前面には画像撮影用の撮影レンズ５３及び音声録音用のマイク５５が設けられている。ここで、カメラ５０は、指紋センサ５２が設けられている以外は、従来周知のものであるので、内部の詳細な構成については説明を省略する。図１４に示すように、カメラ５０では、撮影により得られた画像データ５６、録音により得られた音声データ５８、及び指紋センサ５２を介して入力された指紋データ５７から、１つのデータ５９が生成される。このデータ５９は送信部６０を介して外部装置に送信される。
【００６７】
また、図１３（ｂ）に示すように、カメラ５０は外部装置としてのデータ検索再生装置１００に着脱自在かつ通信可能に構成されており、カメラ５０をデータ検索再生装置１００に装着することにより、カメラ５０で取得された指紋情報付きのデータ５９が送信部６０を介してデータ検索再生装置１００に自動的に転送記録される。このデータは、同じ指紋パターンが指紋センサ１１で検出されないと再生できないものである。
【００６８】
また、撮影等ではなくとも、図１３（ｂ）のように、操作者３０が指紋センサ５２に触れたときにそのデータが転送されるようにしてもよい。
【００６９】
以上説明したように、本一実施形態によれば、プライバシを保護しつつ、データの再生に関する操作を簡単な操作で行うことができる。また、指や手の動きによって、簡単に検索や再生等の再生に関する種々の操作を、いちいち目視確認せずとも行うことができる。
【００７０】
また、一般的に指紋の捺印は、個人のプライバシ問題にもかかわり、指紋データが入力されてしまうことに対して抵抗を感ずる人も多いが、本一実施形態では、指紋センサを利用しながら指紋だけでなく、指の先端や関節部、さらには手の平のパターンを利用したり、２本の指の並んだ紋様などを検出したりすることもできる。また指の動きなどの検出であれば、いちいち指紋を登録するような予備動作は必要ではない。つまり指のパターンや皮膚のパターンのように、０．３ｍｍ〜１ｍｍおきに周期的に表れる数１０〜１００ミクロンオーダーの凸凹変化が検出された場合に、指や手の紋様であると判定するようにしておけば、操作者個人の指紋を登録する必要はない。したがって、捺印感覚とは異なり、操作者は、指紋パターンが取られる抵抗もなく、操作が楽しめる。
【００７１】
なお、本一実施形態で説明した指紋センサは、必ずしも静電容量タイプである必要はなく、イメージセンサやタッチスイッチを応用したもので代用してもよい。
【００７２】
以上実施形態に基づいて本発明を説明したが、本発明は上記した実施形態に限定されるものではなく、本発明の要旨の範囲内で種々の変形や応用が可能なことは勿論である。
【００７３】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００７４】
【図１】図１（ａ）は本発明の一実施形態に係るデータ検索再生装置が用いられているときの様子を示すイメージ図であり、図１（ｂ）は操作者の指使いの第１の例について示す図であり、図１（ｃ）は操作者の指使いの第２の例について示す図である。
【図２】本発明の一実施形態に係るデータ検索再生装置１００の内部構成について示すブロック図である。
【図３】指紋センサの詳細な構成について示す図である。
【図４】本発明の一実施形態に係るデータ検索再生装置におけるデータ再生の処理について説明するためのフローチャートである。
【図５】ファイル又はデータの表示の例について示す図である。
【図６】ファイル又はデータと指紋パターンとの対応付け及び再生制御動作と指使いとの対応付けについて説明するためのフローチャートである。
【図７】ファイル又はデータと指の対応付けの例について示す図である。
【図８】図８（ａ）はデータ検索再生装置の一例としての音楽プレーヤについて示す図であり、図８（ｂ）は音楽プレーヤにおける再生制御動作と指使いの対応付けの例について示す図である。
【図９】指紋センサの別の形状の例について示す図である。
【図１０】指紋センサを用いて操作者の指紋以外のパターンを検出する際の例について示す図である。
【図１１】指の回転操作について示す図である。
【図１２】音楽プレーヤにおける再生制御動作と指使いの対応付けのカスタマイズについて説明するための図である。
【図１３】図１３（ａ）は情報入力記録装置の一例としてのカメラの外観図であり、図１３（ｂ）はカメラをデータ検索再生装置に装着したときの様子を示す図である。
【図１４】カメラ及びデータ検索再生装置の内部の構成について示す図である。
【符号の説明】
【００７５】
１…ＣＰＵ、２…メモリ、３…指紋照合部、４…再生用データ読み出し/書き込み制御部、５…再生制御部、６…指動作検出部、７…対応付け部、８…動作選択部、９…インターフェイス部、１０…操作部、１１，５２…指紋センサ、２０，５１…表示部、２１…音声再生部、２２…レンズ、５０…カメラ、５３…撮影レンズ、５５…マイク
【図１】
2006146579.tif 000003
【図２】
2006146579.tif 000004
【図３】
2006146579.tif 000005
【図４】
2006146579.tif 000006
【図５】
2006146579.tif 000007
【図６】
2006146579.tif 000008
【図７】
2006146579.tif 000009
【図８】
2006146579.tif 000010
【図９】
2006146579.tif 000011
【図１０】
2006146579.tif 000012
【図１１】
2006146579.tif 000013
【図１２】
2006146579.tif 000014
【図１３】
2006146579.tif 000015
【図１４】
2006146579.tif 000016